(57)【要約】【課題】留め接ぎ構造のヒンジ接合部にも適用可能な簡単構造の蝶番及び該蝶番を備えた収納装置を提供する。【解決手段】箪笥等の収納装置Ｍの筺体１と扉２との間に隠し蝶番３を設ける。蝶番３は、蝶番部材１０，２０と取付部材３０，４０を含む。蝶番部材１０，２０の羽根部１９，２９の幅は、扉２の主回転軸線ＣＬ０に近い側では小さく遠い側では大きい。羽根部１０の第１の縁１９ａ側の取付軸部１１が、筺体１側の取付部材３０と第１回転軸線ＣＬ１のまわりに回転可能に連結され、羽根部２９の第２の縁２９ａ側の取付軸部２２が、扉２側の取付部材４０と第２回転軸線ＣＬ２のまわりに回転可能に連結され、羽根部１９，２９の反対側の縁１９ｂ，２９ｂ側の連結軸部１３，２３どうしが、第３回転軸線ＣＬ３のまわりに回転可能に連結されている。【選択図】図３
2015132045.tif 000002
【特許請求の範囲】
【請求項１】
第１部材と第２部材とを主回転軸線のまわりに回転可能に連結する蝶番であって、
（ａ）第１羽根部と、前記第１羽根部の第１の縁に設けられた第１取付軸部と、前記第１羽根部の第１の反対側の縁に設けられた第１連結軸部とを一体に有し、前記第１羽根部における前記第１の縁と前記第１の反対側の縁どうし間の幅が、前記主回転軸線に近い側では相対的に小さく、前記主回転軸線から遠い側では相対的に大きい第１蝶番部材と、
（ｂ）第２羽根部と、前記第２羽根部の第２の縁に設けられた第２取付軸部と、前記第２羽根部の第２の反対側の縁に設けられた第２連結軸部とを一体に有し、前記第２羽根部における前記第２の縁と前記第２の反対側の縁どうし間の幅が、前記主回転軸線に近い側では相対的に小さく、前記主回転軸線から遠い側では相対的に大きい第２蝶番部材と、
（ｃ）第１支軸部を有して前記第１部材に設けられる第１取付部材と、
（ｄ）第２支軸部を有して前記第２部材に設けられる第２取付部材と、
を備え、
前記第１取付軸部と前記第１支軸部とが、前記主回転軸線と直交又は交差するとともに前記第１の縁に沿う第１回転軸線のまわりに回転可能に連結され、
前記第２取付軸部と前記第２支軸部とが、前記主回転軸線と直交又は交差するとともに前記第２の縁に沿う第２回転軸線のまわりに回転可能に連結され、
前記第１連結軸部と前記第２連結軸部とが、前記第１回転軸線及び前記第２回転軸線に対して傾斜又は交差するとともに前記第１の反対側の縁及び前記第２の反対側の縁に沿う第３回転軸線のまわりに回転可能に連結されていることを特徴とする蝶番。
【請求項２】
前記第１、第２、第３回転軸線が、それぞれ前記主回転軸線上の一点又は前記一点の近くを通ることを特徴とする請求項１に記載の蝶番。
【請求項３】
収納室を有する筺体と、前記収納室を開閉する扉と、前記筺体と前記扉とを主回転軸線のまわりに回転可能に連結する蝶番とを備え、前記蝶番が、
（ａ）第１羽根部と、前記第１羽根部の第１の縁に設けられた第１取付軸部と、前記第１羽根部の第１の反対側の縁に設けられた第１連結軸部とを一体に有し、前記第１羽根部における前記第１の縁と前記第１の反対側の縁どうし間の幅が、前記主回転軸線に近い側では相対的に小さく、前記主回転軸線から遠い側では相対的に大きい第１蝶番部材と、
（ｂ）第２羽根部と、前記第２羽根部の第２の縁に設けられた第２取付軸部と、前記第２羽根部の第２の反対側の縁に設けられた第２連結軸部とを一体に有し、前記第２羽根部における前記第２の縁と前記第２の反対側の縁どうし間の幅が、前記主回転軸線に近い側では相対的に小さく、前記主回転軸線から遠い側では相対的に大きい第２蝶番部材と、
（ｃ）第１支軸部を有して前記第１部材に設けられた第１取付部材と、
（ｄ）第２支軸部を有して前記第２部材に設けられた第２取付部材と、
を含み、
前記第１取付軸部と前記第１支軸部とが、前記主回転軸線と直交又は交差するとともに前記第１の縁に沿う第１回転軸線のまわりに回転可能に連結され、
前記第２取付軸部と前記第２支軸部とが、前記主回転軸線と直交又は交差するとともに前記第２の縁に沿う第２回転軸線のまわりに回転可能に連結され、
前記第１連結軸部と前記第２連結軸部とが、前記第１回転軸線及び前記第２回転軸線に対して傾斜又は交差するとともに前記第１の反対側の縁及び前記第２の反対側の縁に沿う第３回転軸線のまわりに回転可能に連結されていることを特徴とする収納装置。
【請求項４】
前記筺体の第１端面が前記筺体の外面に対して鋭角に傾斜され、かつ前記扉の前記第１端面と対向する第２端面が前記扉の外面に対して鋭角に傾斜され、更に、前記第１端面には前記第１取付部材を収容する第１凹部が形成され、前記第２端面には前記第２取付部材を収容する第２凹部が形成されており、
前記扉の全閉時には、前記第１端面及び前記第２端面どうしがほぼ重なり合うとともに、前記第１凹部及び前記第２凹部の内部どうしが連なり、かつ前記第１、第２羽根部どうしが前記第３回転軸線を中心にして互いに折り畳まれることによって、前記第１、第２凹部の内部に前記蝶番のほぼ全体が収容されることを特徴とする請求項３に記載の収納装置。
【請求項５】
前記第１、第２回転軸線どうしが、前記主回転軸線と直交又は交差する互いに同一の仮想平面上に互いの相対角度が可変に配置され、
前記扉の全閉時には、前記第１、第２回転軸線どうしが互いにほぼ平行になり、かつ前記第１、第２羽根部どうしが前記仮想平面とほぼ直交するように折り畳まれるとともに、前記第３回転軸線が前記主回転軸線に向かうにしたがって前記仮想平面に近づくように前記仮想平面に対して傾斜され、
前記扉を開くにしたがって、前記第１、第２回転軸線どうしの角度が大きくなり、かつ前記第１、第２羽根部どうしが前記仮想平面に沿う位置に向けて展開されるとともに、前記第３回転軸線の前記仮想平面に対する傾斜が緩やかになることを特徴とする請求項３又は４に記載の収納装置。
【発明の詳細な説明】
【技術分野】
【０００１】
本発明は、蝶番及び該蝶番を備えた収納装置に関し、特に、隠し蝶番として好適な蝶番及びそれを備えた開き戸付き箪笥等の家具、その他の収納装置に関する。
【背景技術】
【０００２】
例えば開き戸付き箪笥等の収納装置においては、筺体に蝶番を介して扉が回転可能に取り付けられている。一般的な蝶番は、一対の羽根板状部材を備えている。これら羽根板状部材どうしが相対回転可能に連結されるとともに、一方の羽根板状部材が筺体に取り付けられ、他方の羽根板状部材が扉に取り付けられている。羽根板状部材どうしの回転軸線は、扉の回転軸線と平行かつ一致している。
【０００３】
更に、扉を閉じたとき、外から見えないようにした隠し蝶番も知られている。特許文献１〜４等に記載されているように、一般に、隠し蝶番は、一対のケース状部材と、これらケース状部材どうしを連結する複数のリンクとを備えている。また、筺体及び扉の蝶番取り付け面にはそれぞれ収容凹部が形成されている。各収容凹部にケース状部材の全体が収容されている。扉を閉じると、一対のケース状部材どうしが合わさり、かつ、これらケース状部材の内部に上記リンクの全体が収容される。これによって、隠し蝶番の全体が外部から隠れる。各リンクは、回転軸やスライド軸を介して他のリンクやケース状部材と連結されている。リンクの回転軸は、扉の回転軸線と平行になっている。
【０００４】
特許文献１の隠し蝶番は、複数のリンクに代えて、１つのコ字状の羽根部材を備えている。コ字状羽根部材の一端部が筺体側のケース状部材に回転可能に連結され、かつコ字状羽根部材の他端部が扉側のケース状部材に回転可能に連結されている。コ字状羽根部材の両端部の回転軸は、扉の回転軸線と平行になっている。扉を開閉する際、コ字状羽根部材の内側に筺体又は扉の端部やケース状部材の端部が入り込む。言い換えると、コ字状羽根部材は、扉の開閉時に筺体又は扉の端部やケース状部材の端部と干渉しないようにコ字状に湾曲された形状になっている。
【０００５】
また、特許文献１〜４等に記載されているように、この種の隠し蝶番における各ケース状部材には、筺体又は扉とのビス止め用の一対の耳板部が一体に設けられている。耳板部は、筺体又は扉における蝶番取り付け面に沿ってケース状部材の両端部から延出されている。これに対応して、筺体及び扉の蝶番取り付け面には、上記耳板部を収容するための浅い凹部が形成されている。この耳板部用の浅い凹部が、ケース状部材用の深い収容凹部に連なっている。したがって、これら凹部どうしの間に段差が形成されている。この耳板部用の浅い凹部ひいては段差は、それによって蝶番の位置が決まるために精度良く形成する必要がある。
【先行技術文献】
【特許文献】
【０００６】
【特許文献１】特開２００６−２８９８９号公報
【特許文献２】実用新案登録第３１６３３９０号公報
【特許文献３】特許第４８３２９７２号公報
【特許文献４】特開２０１２−２６１４０号公報
【発明の概要】
【発明が解決しようとする課題】
【０００７】
一般に、隠し蝶番は構造が複雑で部品点数が多い。また、筺体及び扉には、隠し蝶番のケース状部材用の収容凹部を深く形成したり、上記ケース状部材の耳板部用の段差を精度良く形成したりする必要があり、煩雑であった。さらに、筺体と扉とを所謂留め接ぎ法によってヒンジ接合した場合、つまりは筺体の木口部及び扉の木口部をそれぞれ斜めにして突き合わせることでこれら木口部が外から見えない構造にした場合、上記斜めの木口部に隠し蝶番のケース状部材用の収容凹部を深く掘り込むと、収容凹部が筺体の外面又は扉の外面に突き抜けてしまうおそれがある。したがって、留め接ぎ構造のヒンジ接合部に隠し蝶番を適用するのは容易でなかった。或いは、留め接ぎ構造のヒンジ接合部においては、隠し蝶番を完全に隠すのは困難であった。
本発明は、上記事情に鑑み、簡単な構造で、留め接ぎ構造のヒンジ接合部にも適用可能な蝶番及び該蝶番を備えた収納装置を提供することを目的とする。
【課題を解決するための手段】
【０００８】
上記課題を解決するために、本発明に係る蝶番は、第１部材と第２部材とを主回転軸線のまわりに回転可能に連結する蝶番であって、
（ａ）第１羽根部と、前記第１羽根部の第１の縁に設けられた第１取付軸部と、前記第１羽根部の第１の反対側の縁に設けられた第１連結軸部とを一体に有し、前記第１羽根部における前記第１の縁と前記第１の反対側の縁どうし間の幅が、前記主回転軸線に近い側では相対的に小さく、前記主回転軸線から遠い側では相対的に大きい第１蝶番部材と、
（ｂ）第２羽根部と、前記第２羽根部の第２の縁に設けられた第２取付軸部と、前記第２羽根部の第２の反対側の縁に設けられた第２連結軸部とを一体に有し、前記第２羽根部における前記第２の縁と前記第２の反対側の縁どうし間の幅が、前記主回転軸線に近い側では相対的に小さく、前記主回転軸線から遠い側では相対的に大きい第２蝶番部材と、
（ｃ）第１支軸部を有して前記第１部材に設けられる第１取付部材と、
（ｄ）第２支軸部を有して前記第２部材に設けられる第２取付部材と、
を備え、前記第１取付軸部と前記第１支軸部とが、前記主回転軸線と直交又は交差するとともに前記第１の縁に沿う第１回転軸線のまわりに回転可能に連結され、前記第２取付軸部と前記第２支軸部とが、前記主回転軸線と直交又は交差するとともに前記第２の縁に沿う第２回転軸線のまわりに回転可能に連結され、前記第１連結軸部と前記第２連結軸部とが、前記第１回転軸線及び前記第２回転軸線に対して傾斜又は交差するとともに前記第１の反対側の縁及び前記第２の反対側の縁に沿う第３回転軸線のまわりに回転可能に連結されていることを特徴とする。
前記第１、第２、第３回転軸線が、それぞれ前記主回転軸線上の一点又は前記一点の近くを通ることが好ましい。
【０００９】
本発明に係る収納装置は、収納室を有する筺体と、前記収納室を開閉する扉と、前記筺体と前記扉とを主回転軸線のまわりに回転可能に連結する蝶番とを備え、前記蝶番が、
（ａ）第１羽根部と、前記第１羽根部の第１の縁に設けられた第１取付軸部と、前記第１羽根部の第１の反対側の縁に設けられた第１連結軸部とを一体に有し、前記第１羽根部における前記第１の縁と前記第１の反対側の縁どうし間の幅が、前記主回転軸線に近い側では相対的に小さく、前記主回転軸線から遠い側では相対的に大きい第１蝶番部材と、
（ｂ）第２羽根部と、前記第２羽根部の第２の縁に設けられた第２取付軸部と、前記第２羽根部の第２の反対側の縁に設けられた第２連結軸部とを一体に有し、前記第２羽根部における前記第２の縁と前記第２の反対側の縁どうし間の幅が、前記主回転軸線に近い側では相対的に小さく、前記主回転軸線から遠い側では相対的に大きい第２蝶番部材と、
（ｃ）第１支軸部を有して前記第１部材に設けられた第１取付部材と、
（ｄ）第２支軸部を有して前記第２部材に設けられた第２取付部材と、
を含み、前記第１取付軸部と前記第１支軸部とが、前記主回転軸線と直交又は交差するとともに前記第１の縁に沿う第１回転軸線のまわりに回転可能に連結され、前記第２取付軸部と前記第２支軸部とが、前記主回転軸線と直交又は交差するとともに前記第２の縁に沿う第２回転軸線のまわりに回転可能に連結され、前記第１連結軸部と前記第２連結軸部とが、前記第１回転軸線及び前記第２回転軸線に対して傾斜又は交差するとともに前記第１の反対側の縁及び前記第２の反対側の縁に沿う第３回転軸線のまわりに回転可能に連結されていることを特徴とする。
前記第１、第２、第３回転軸線が、それぞれ前記主回転軸線上の一点又は前記一点の近くを通ることが好ましい。
【００１０】
前記筺体の第１端面が前記筺体の外面に対して鋭角に傾斜され、かつ前記扉の前記第１端面と対向する第２端面が前記扉の外面に対して鋭角に傾斜され、更に、前記第１端面には前記第１取付部材を収容する第１凹部が形成され、前記第２端面には前記第２取付部材を収容する第２凹部が形成されており、前記扉の全閉時には、前記第１端面及び前記第２端面どうしがほぼ重なり合うとともに、前記第１凹部及び前記第２凹部の内部どうしが連なり、かつ前記第１、第２羽根部どうしが前記第３回転軸線を中心にして互いに折り畳まれることによって、前記第１、第２凹部の内部に前記蝶番のほぼ全体が収容されることが好ましい。
【００１１】
前記第１、第２回転軸線どうしが、前記主回転軸線と直交又は交差する互いに同一の仮想平面上に互いの相対角度が可変に配置され、前記扉の全閉時には、前記第１、第２回転軸線どうしが互いにほぼ平行になり、かつ前記第１、第２羽根部どうしが前記仮想平面とほぼ直交するように折り畳まれるとともに、前記第３回転軸線が前記主回転軸線に向かうにしたがって前記仮想平面に近づくように前記仮想平面に対して傾斜され、前記扉を開くにしたがって、前記第１、第２回転軸線どうしの角度が大きくなり、かつ前記第１、第２羽根部どうしが前記仮想平面に沿う位置に向けて展開されるとともに、前記第３回転軸線の前記仮想平面に対する傾斜が緩やかになることが好ましい。
【発明の効果】
【００１２】
本発明によれば、部品点数が少なく構造が簡単な蝶番を提供できる。この蝶番を収納装置等の留め接ぎ構造のヒンジ接合部に適用すれば、扉（第２部材）の開閉状態に拘わらず外部から蝶番がほとんど見えないようにでき、収納装置等の美観を向上できる。
【図面の簡単な説明】
【００１３】
【図１】図１（ａ）は、本発明の第１実施形態に係る箪笥等の収納装置における筺体及び扉の留め接ぎ部分を、筺体の内側から、かつ扉の閉状態で示す解説斜視図である。図１（ｂ）は、上記留め接ぎ部分を、筺体の外側から、かつ扉の閉状態で示す解説斜視図である。図中、上記留め接ぎ部分の内部の蝶番については便宜上、実線にて示す。
【図２】図２（ａ）は、上記収納装置の留め接ぎ部分を閉状態で示す平面断面図である。図２（ｂ）は、上記留め接ぎ部分の蝶番を閉じ状態で示す、図２（ａ）のIIｂ−IIｂ線に沿う正面図である。
【図３】図３（ａ）は、上記留め接ぎ部分を半開状態で示す平面断面図である。図３（ｂ）は、上記蝶番を半開状態で示す、図３（ａ）のIIIｂ−IIIｂ線に沿う正面図である。
【図４】図４（ａ）は、上記収納装置の留め接ぎ部分をほぼ全開状態で示す平面断面図である。図４（ｂ）は、上記蝶番をほぼ全開状態で示す、図４（ａ）のIVｂ−IVｂ線に沿う正面図である。
【図５】図５は、上記留め接ぎ部分の分解斜視図である。
【発明を実施するための形態】
【００１４】
以下、本発明の実施形態を図面にしたがって説明する。
図１〜図５は、本発明の第１実施形態を示したものである。図１（ａ）及び（ｂ）に示すように、箪笥等の収納装置Ｍは、筺体１（第１部材）と、扉２（第２部材）と、複数（図では２つ）の隠し蝶番３を備えている。筐体１及び扉２は、木材にて構成されている。筺体１は、例えば一対の側壁、天板、底板、及び背板を有している。なお、図においては筺体１の１つの側壁のみを図示する。筺体１の内部に収納室Ｓが形成されている。この収納室Ｓの開口部が扉２によって開閉される（図２〜図４）。扉２は、蝶番３を介して、筺体１の上記１つの側壁に、鉛直な主回転軸線ＣＬ０のまわりに回転可能に連結されている。なお、主回転軸線ＣＬ０は、仮想の軸線であり、主回転軸線ＣＬ０上には軸部材が存在しない。
【００１５】
図２（ａ）に示すように、筺体１と扉２とのヒンジ接合部は、所謂留め接ぎ構造になっている。すなわち、筺体１の第１端面１ｅ（木口面）は、筺体１の外面１ａに対して鋭角に傾斜されている。外面１ａと第１端面１ｅとが交わることで、鋭角の角部１ｆが形成されている。外面１ａと第１端面１ｅとのなす角度（内角）は例えば４５度である。同様に、扉２の第２端面２ｅ（木口面）は、扉２の外面２ａに対して鋭角に傾斜されている。これら外面２ａと第２端面２ｅとが交わることで、鋭角の角部２ｆが形成されている。外面２ａと第２端面２ｅとのなす角度（内角）は例えば４５度である。扉２を閉じた状態においては、筺体１及び扉２の外面１ａ，２ａどうしが直角になり、かつ端面１ｅ，２ｅどうしが接している。図４（ａ）に示すように、扉２を開いた状態においては、端面１ｅ，２ｅどうしが離れる。図２（ａ）、図３（ａ）、図４（ａ）に示すように、筺体１及び扉２の角部１ｆ，２ｆどうしは、扉２の開閉状態に拘わらず常にほぼ合わさっている。図１（ｂ）に示すように、これら角部１ｆ，２ｆの合わせ目に沿って上記主回転軸線ＣＬ０が設定されている。
【００１６】
図５に示すように、第１端面１ｅに第１凹部１ｇが形成されている。第１凹部１ｇは、概略四角形になっており、かつ角部１ｆに向かって概略三角形に彫り込まれた逃がし凹部１ｈを有している。第１凹部１ｇの底面は、段差が無く、フラットになっている。第２端面２ｅに第２凹部２ｇが形成されている。第２凹部２ｇは、概略四角形になっており、かつ角部２ｆに向かって概略三角形に彫り込まれた逃がし凹部２ｈを有している。第２凹部２ｇの底面は、段差が無く、フラットになっている。図２（ａ）に示すように、扉２を閉じた状態においては、第１端面１ｅと第２端面２ｅとがほぼ接することで、第１凹部１ｇと第２凹部２ｇとが重なって、これら凹部１ｇ，２ｇの内部空間が一体に連なる。
【００１７】
図１に示すように、第１端面１ｅと第２端面２ｅとの間に複数の隠し蝶番３が設けられている。図１（ｂ）に示すように、複数の隠し蝶番３が、主回転軸線ＣＬ０に沿う鉛直方向に互いに離れて配置されている。図２（ｂ）、図３（ｂ）、図４（ｂ）、図５に示すように、各隠し蝶番３は、一対の蝶番部材１０，２０と、一対の取付部材３０，４０と、３つの軸部材５１〜５３とを備えている。これら蝶番構成部材１０〜５３は鋼鉄等の金属にて構成されている。
【００１８】
第１蝶番部材１０は、第１羽根部１９と、第１取付軸部１１と、第１連結軸部１３とを一体に有している。第１羽根部１９は、第１の縁１９ａとその反対側の縁１９ｂ（第１の反対側の縁）とを有し、概略扇形状ないしは台形形状の平板状になっている。第１羽根部１９の第１の縁１９ａと第１の反対側の縁１９ｂとは非平行であり、第１の縁１９ａに対して、第１の反対側の縁１９ｂが主回転軸線ＣＬ０に向かうにしたがって第１の縁１９ａに近づくように斜めになっている。したがって、第１羽根部１９における第１の縁１９ａと第１の反対側の縁１９ｂどうし間の幅が、主回転軸線ＣＬ０に近い側では相対的に小さく、主回転軸線ＣＬ０から遠い側では相対的に大きくなっている。第１の縁１９ａに１又は複数の第１取付軸部１１が設けられている。第１取付軸部１１は、第１蝶番部材１０における第１の縁１９ａから延び出た部分を筒状に成形することによって構成されている。第１取付軸部１１の軸線は、第１の縁１９ａと平行になっている。第１の反対側の縁１９ｂに１又は複数の第１連結軸部１３が設けられている。第１連結軸部１３は、第１蝶番部材１０における縁１９ｂから延び出た部分を筒状に成形することによって構成されている。第１連結軸部１３の軸線は縁１９ｂと平行になっている。
【００１９】
同様に、第２蝶番部材２０は、第２羽根部２９と、第２取付軸部２２と、第２連結軸部２３とを一体に有している。第２羽根部２９は、第２の縁２９ａとその反対側の縁２９ｂ（第２の反対側の縁）とを有し、概略扇形状ないしは台形形状の平板状になっており、かつ第１羽根部１９と対称形状になっている。第２羽根部２９の第２の縁２９ａと第２の反対側の縁２９ｂとは非平行であり、第２の縁２９ａに対して、第２の反対側の縁２９ｂが主回転軸線ＣＬ０に向かうにしたがって第２の縁２９ａに近づくように斜めになっている。したがって、第２羽根部２９における第２の縁２９ａと第２の反対側の縁２９ｂどうし間の幅が、主回転軸線ＣＬ０に近い側では相対的に小さく、主回転軸線ＣＬ０から遠い側では相対的に大きくなっている。第２の縁２９ａに１又は複数の第２取付軸部２２が設けられている。第２取付軸部２２は、第２蝶番部材２０における第２の縁２９ａから延び出た部分を筒状に成形することによって構成されている。第２取付軸部２２の軸線は、第２の縁２９ａと平行になっている。第２の反対側の縁２９ｂに１又は複数の第２連結軸部２３が設けられている。第２連結軸部２３は、第２蝶番部材２０における縁２９ｂから延び出た部分を筒状に成形することによって構成されている。第２連結軸部２３の軸線は縁２９ｂと平行になっている。
【００２０】
第１取付部材３０は、第１取付板部３９と、第１支軸部３１とを一体に有している。第１取付板部３９は、四角形の平板状になっている。第１取付板部３９に取付穴３８が複数形成されている。第１取付板部３９の上縁部に１又は複数の第１支軸部３１が設けられている。第１支軸部３１は、第１取付部材３０における第１取付板部３９の上縁から延び出た部分を筒状に成形することによって構成されている。第１支軸部３１の軸線は第１取付板部３９の上縁と平行になっている。第１取付部材３０の上端部において第１取付軸部１１と第１支軸部３１とが互い違いに配置されている。これら軸部１１，３１に第１軸部材５１が通されることによって、軸部１１，３１が一列に連ねられている。軸部１１，３１及び第１軸部材５１の軸線が第１回転軸線ＣＬ１を構成している。第１蝶番部材１０が、第１取付部材３０に第１回転軸線ＣＬ１のまわりに回転可能に連結されている。第１羽根部１９の第１の縁１９ａが第１回転軸線ＣＬ１に沿っている。
【００２１】
図３（ａ）及び図４（ａ）に示すように、第１取付部材３０は、第１凹部１ｇに収容されている。図示しない木ネジ又は釘が取付穴３８を通して筺体１に打ち込まれることによって第１取付部材３０が筺体１に固定されている。この固定状態における第１回転軸線ＣＬ１は水平である。したがって、第１回転軸線ＣＬ１は、主回転軸線ＣＬ０と直交している。しかも、第１回転軸線ＣＬ１は、第１端面１ｅに沿い、かつ主回転軸線ＣＬ０上の一点Ｐの近くを通っている。なお、第１回転軸線ＣＬ１の点Ｐからのずれは、第１支軸部３１の半径と同程度であり、１ｍｍ未満〜数ｍｍ程度である。
【００２２】
同様に、第２取付部材４０は、第２取付板部４９と、第２支軸部４２とを一体に有している。第２取付板部４９は、四角形の平板状になっている。第２取付板部４９に取付穴４８が複数形成されている。第２取付板部４９の上縁部に１又は複数の第２支軸部４２が設けられている。第２支軸部４２は、第２取付部材４０における第２取付板部４９の上縁から延び出た部分を筒状に成形することによって構成されている。第２支軸部４２の軸線は第２取付板部４９の上縁と平行になっている。第２取付部材４０の上端部において第２取付軸部２２と第２支軸部４２とが互い違いに配置されている。これら軸部２２，４２に第２軸部材５２が通されることによって、軸部２２，４２が一列に連ねられている。軸部２２，４２及び軸部材５２の軸線が第２回転軸線ＣＬ２を構成している。第２蝶番部材２０が、第２取付部材４０に第２回転軸線ＣＬ２のまわりに回転可能に連結されている。第２羽根部２９の第２の縁２９ａが第２回転軸線ＣＬ２に沿っている。
【００２３】
第２取付部材４０は、第２凹部２ｇに収容されている。図示しない木ネジ又は釘が取付穴４８を通して扉２に打ち込まれことによって第２取付部材４０が扉２に固定されている。この固定状態における第２回転軸線ＣＬ２は水平である。したがって、第２回転軸線ＣＬ２は、主回転軸線ＣＬ０と直交している。しかも、第２回転軸線ＣＬ２は、第２端面２ｅに沿い、かつ主回転軸線ＣＬ０上の一点Ｐの近くを通っている。なお、第２回転軸線ＣＬ２の点Ｐからのずれは、第２支軸部４２の半径と同程度であり、１ｍｍ未満〜数ｍｍ程度である。
【００２４】
さらに、第２回転軸線ＣＬ２は、第１回転軸線ＣＬ１と同じ高さに水平に配置されている。したがって、第１、第２回転軸線ＣＬ１，ＣＬ２どうしは、互いに同一の仮想平面ＰＬ上に配置されている。この仮想平面ＰＬは、水平であり、主回転軸線ＣＬ０と直交（又は交差）する。仮想平面ＰＬと主回転軸線ＣＬ０との交点が、上記点Ｐとなる。
また、図２（ａ），図３（ａ）、図４（ａ）に示すように、第１、第２回転軸線ＣＬ１，ＣＬ２どうしは、扉２の開閉に合わせて、互いの相対角度が可変である。
【００２５】
さらに、蝶番３の中央部においては、第１連結軸部１３と第２連結軸部２３とが互い違いに配列され、かつこれら軸部１３，２３に第３軸部材５３が通されることによって、これら軸部１３，２３が一列に連ねられている。軸部１３，２３及び軸部材５３の軸線が第３回転軸線ＣＬ３を構成している。第１蝶番部材１０と第２蝶番部材２０とが、第３回転軸線ＣＬ３のまわりに互いに相対回転可能になっている。第１羽根部１９の第１の反対側の縁１９ｂが第３回転軸線ＣＬ３に沿うとともに、第２羽根部２９の第２の反対側の縁２９ｂが第３回転軸線ＣＬ３に沿っている。第３回転軸線ＣＬ３は、第１回転軸線ＣＬ１及び第２回転軸線ＣＬ２に対して傾斜している。第１回転軸線ＣＬ１と第３回転軸線ＣＬ３とのなす角度θ１と、第２回転軸線ＣＬ２と第３回転軸線ＣＬ３とのなす角度θ２は、互いに等しく、かつ９０度より小さい（θ１＝θ２＜９０°）。角度θ１，θ２は、θ１＝θ２＝４５°〜６０°程度が好ましい。第３回転軸線ＣＬ３は、主回転軸線ＣＬ０に近づくにしたがって上へ傾き、主回転軸線ＣＬ０上の一点Ｐ又はその近傍を通っている。したがって、第１、第２、第３回転軸線ＣＬ１，ＣＬ２，ＣＬ３が、それぞれ主回転軸線ＣＬ０上の一点Ｐ又は該一点Ｐの近くを通っている。
【００２６】
上記のように構成された箪笥等の収納装置Ｍにおいて、図２（ａ）に示すように、扉２を閉じた状態では、第１端面１ｅ及び第２端面２ｅどうしが重なり合うことで、凹部１ｇ，２ｇの内部空間が一体に連なるとともに、隠し蝶番３が折り畳まれることによって、その全体が凹部１ｇ，２ｇ内に収容される。なお、蝶番部材１０，２０の一部分は、凹部１ｇ，２ｇの逃し部１ｈ，２ｈに収容される。したがって、蝶番３が完全に隠れている。このとき、図２（ｂ）に示すように、第１蝶番部材１０及び第２蝶番部材２０は、それぞれ回転軸線ＣＬ１，ＣＬ２からほぼ鉛直下方へ垂れ、互いにほぼ重ね合わされている。第１、第２羽根部１９，２９どうしが、第３回転軸線ＣＬ３を中心にして互いに折り畳まれ、仮想平面ＰＬとほぼ直交している。更には、第１蝶番部材１０及び第１取付部材３０がほぼ重ね合わされ、かつ第２蝶番部材２０及び第２取付部材４０がほぼ重ね合わされている。したがって、隠し蝶番３が全体としてコンパクトに折り畳まれた状態になっている。さらに、扉２を閉じた状態では、第１回転軸線ＣＬ１と第２回転軸線ＣＬ２とが平行又は平行近くになっている。第３回転軸線ＣＬ３は、主回転軸線ＣＬ０に向かうにしたがって水平な仮想平面ＰＬに近づくように仮想平面ＰＬに対して急峻に傾斜されている。
【００２７】
図３（ａ）に示すように、扉２を開けていくと、第２回転軸線ＣＬ２が主回転軸線ＣＬ０のまわりに水平に回転することによって、第１回転軸線ＣＬ１と第２回転軸線ＣＬ２とのなす角度が大きくなる。これに伴って、第１蝶番部材１０が第１回転軸線ＣＬ１のまわりに水平に近づくように回転され、かつ第２蝶番部材２０が第２回転軸線ＣＬ２のまわりに水平に近づくように回転される。言い換えると、第１、第２羽根部１９，２９どうしが仮想平面ＰＬに沿う位置に向けて展開される。さらに、第３回転軸線ＣＬ３が、水平に近づくように交差点Ｐを中心として鉛直上向きに回転される。つまり、第３回転軸線ＣＬ３の仮想平面ＰＬに対する傾斜が緩やかになる。これによって、隠し蝶番３が展開されてくる。図４に示すように、扉２は、筺体１に対してほぼ１８０°ないしは１８０°超の角度まで開くことができる。
【００２８】
扉２は、隠し蝶番３によって主回転軸線ＣＬ０すなわち角部１ｆ，２ｆどうしの合わせ目のまわりに回転されるから、扉２の筺体１に対する回転角度に拘わらず、角部１ｆ，２ｆどうしは常にほぼ接している。したがって、扉２の開閉状態に拘わらず常に、隠し蝶番３が収納装置Ｍの外側から殆ど又は完全に見えないようにできる。よって、収納装置Ｍの美観を向上できる。
【００２９】
取付部材３０，４０は、薄い板状に形成すればよく、ケース状に形成する必要がない。したがって、筺体１及び扉２の凹部１ｇ，２ｇは浅くてよい。よって、筺体１及び扉２における角部１ｆ，２ｆの近傍の厚みが小さくても、凹部１ｇ，２ｇが外面１ａ，２ａに貫通しないようにでき、凹部１ｇ，２ｇを確実に形成できる。また、扉２の閉じ時には、隠し蝶番３が折り畳まれて隠し蝶番３全体の厚みが小さくなることで、凹部１ｇ，２ｇが浅くても、隠し蝶番３を凹部１ｇ，２ｇ内に確実に収めることができる。これによって、留め接ぎ構造の筺体１及び扉２のヒンジとして、隠し蝶番を適用できる。つまり、筺体１及び扉２のヒンジ接合部が留め接ぎ構造になっていても、ヒンジが外部から見えないようにできる。
また、取付部材３０，４０には、一般的な隠し蝶番のケース状部材における耳板部を形成する必要がないから、凹部１ｇ，２ｇに上記耳板部を収容するための比較的高精度の浅い凹部ひいては段差を設ける必要もなく、凹部１ｇ，２ｇを全体的に段差無しのフラットにできる。したがって、筺体１及び扉２の端面１ｅ，２ｅを彫り込む等して凹部１ｇ，２ｇを形成する作業を簡単化できる。
なお、羽根部１９，２９の厚みを大きくする等して強度を高め、その代わりに、これら羽根部１９，２９を小さくしたり、凹部１ｇ，２ｇ自体を角部１ｆ，２ｆの側へ延ばしたりすれば、逃がし凹部１ｈ，２ｈは不要になる。
さらに、蝶番３によれば、簡易な構成にでき、かつ部品点数を少なくできる。蝶番３を筺体１及び扉２に取り付ける作業も容易に行なうことができる。
【００３０】
扉２を開方向に最大限回転させるとともに、第３軸部材５３の主回転軸線ＣＬ０側とは反対側の端部が交差点Ｐよりも上に位置するようにさせると、蝶番部材１０，２０が思案点を超えて、それぞれ軸部材５１，５２から第３軸部材５３に向かって上へ傾く姿勢になる。この状態から扉２を閉じようとすると、蝶番部材１０，２０が更に上へ傾こうとするが、取付軸部１１，２２が取付板部３９，４９の上縁にそれぞれ引っ掛かり、かつ連結軸部１３，２３が羽根部２９，１９の縁２９ｂ，１９ｂにそれぞれ引っ掛かるために、扉２を閉じることができない。したがって、隠し蝶番３を扉２の閉じ防止ストッパとして機能させることができる。扉２を閉じる際は、指で第３軸部材５３を押し下げ、蝶番部材１０，２０がそれぞれ軸部材５１，５２から第３軸部材５３に向かって下へ傾くようにすればよい。
【００３１】
このように、本発明の蝶番３は、扉２の主回転軸線ＣＬ０と直交又は交差する回転軸線ＣＬ１〜ＣＬ３を有しており、しかも主回転軸線ＣＬ０は仮想軸線であって、主回転軸線ＣＬ０に沿う軸部材が存在しない点で、一般的な蝶番とは基本構造が大きく異なっている。蝶番３は、水平又は斜めの回転軸線ＣＬ１〜ＣＬ３を組み合わせる等して扉２の鉛直荷重を支持することができる。さらに、隠し蝶番３を鉛直方向に離して複数設けることで、扉２に水平軸まわりのモーメント又は主回転軸線ＣＬ０と交差する軸まわりのモーメントが生じるのを確実に防止できる。これによって、扉２を安定的に支持できる。
【００３２】
本発明は、上記の実施形態に限定されるものではなく、発明の趣旨に反しない限りにおいて種々の改変をなすことができる。
例えば、蝶番３が外部からは殆ど見えない状態で扉２が開閉可能な範囲であれば、各回転軸線ＣＬ１〜ＣＬ３が点Ｐからずれていてもよい。角部１ｆ，２ｆどうしの間に隙間があっても、その隙間が１ｍｍ以下、好ましくは０．５ｍｍ以下、より好ましくは０．３ｍｍ以下程度であれば、蝶番３が外部からは殆ど見えない状態にできる。
第１羽根部１９と第２取付軸部１１とが、別体に製造された後、接合されて一体化されてもよい。第２羽根部２９と第２取付軸部２２とについても同様である。
第１回転軸線ＣＬ１は、第１羽根部１９の第１の縁１９ａにおける少なくとも第１取付軸部１１と連なる部分に沿っていればよい。第２回転軸線ＣＬ２は、第２羽根部２９の第２の縁２９ａにおける少なくとも第２取付軸部２２と連なる部分に沿っていればよい。第３回転軸線ＣＬ３は、第１羽根部１９の第１の反対側の縁１９ｂにおける少なくとも第１連結軸部１３と連なる部分及び第２羽根部２９の第２の反対側の縁２９ｂにおける少なくとも第２連結軸部２３と連なる部分に沿っていればよい。ここで、「沿っている」とは、回転軸線ＣＬ１〜ＣＬ３が、対応する縁１９ａ，２９ａ，１９ｂ，２９ｂと厳密に平行な場合だけでなく、ある程度非平行である場合をも含む。
第１部材１に第１支軸部３１が形成されていてもよく、その場合、蝶番３の第１取付部材３０を省略できる。第１取付部材３０が第１部材１と一体であってもよい。第２部材２に第２支軸部４２が形成されていてもよく、その場合、蝶番３の第２取付部材４０を省略できる。第２取付部材４０が第２部材２と一体であってもよい。
回転軸線ＣＬ１，ＣＬ２が水平に対して傾斜していてもよい。回転軸線ＣＬ１，ＣＬ２は、主回転軸線ＣＬ０に対して必ずしも直交していなくてもよく、回転軸線ＣＬ１，ＣＬ２が主回転軸線ＣＬ０と斜めに交差していてもよい。
回転軸線ＣＬ１，ＣＬ２が水平に対して傾斜し、かつ第３回転軸線ＣＬ３が回転軸線ＣＬ１，ＣＬ２に対して直交していてもよい。
第１部材１及び第２部材２のヒンジ接合部は、留め接ぎ方式に限られない。例えば、第１、第２部材１，２の端面１ｅ，２ｅが外面１ａ，２ａに対し直交し、かつ第１部材１の端面１ｅが第２部材２の内面と対向しており、これら第１部材１の端面１ｅと第２部材２の内面との間に隠し蝶番３が設けられていてもよい。或いは、第１、第２部材１，２の端面１ｅ，２ｅが外面１ａ，２ａに対し直交し、かつ第２部材の端面２ｅが第１部材１の内面と対向しており、これら第２部材２の端面２ｅと第１部材１の内面との間に隠し蝶番３が設けられていてもよい。
本発明の蝶番は、箪笥に限られず、開き戸式の扉を有するものであれば、戸棚、食器棚、書庫等、種々の収納装置のヒンジ装置として適用できる。さらに、本発明の蝶番は、互いに相対回転する第１、第２部材どうしを連結するものであれば、収納装置に限られず、各種工芸品や工業製品等のヒンジ付き装置に適用できる。
【産業上の利用可能性】
【００３３】
本発明は、例えば開き戸付き箪笥等に適用可能である。
【符号の説明】
【００３４】
Ｍ    箪笥（収納装置）
ＣＬ０    主回転軸線
ＣＬ１    第１回転軸線
ＣＬ２    第２回転軸線
ＣＬ３    第３回転軸線
Ｓ    収納室
Ｐ    一点
１    筺体（第１部材）
１ａ  外面
１ｅ  第１端面
１ｇ  第１凹部
２    扉（第２部材）
２ａ  外面
２ｅ  第２端面
２ｇ  第２凹部
３    隠し蝶番（蝶番）
１０    第１蝶番部材
１１    第１取付軸部
１３    第１連結軸部
１９    第１羽根部
１９ａ  第１の縁
１９ｂ  第１の反対側の縁
２０    第２蝶番部材
２２    第２取付軸部
２３    第２連結軸部
２９    第２羽根部
２９ａ  第２の縁
２９ｂ  第２の反対側の縁
３０    第１取付部材
３１    第１支軸部
３９    第１取付板部
４０    第２取付部材
４２    第２支軸部
４９    第２取付板部
【図１】
2015132045.tif 000003
【図２】
2015132045.tif 000004
【図３】
2015132045.tif 000005
【図４】
2015132045.tif 000006
【図５】
2015132045.tif 000007